(57)【特許請求の範囲】
【請求項１】
対象テレビ番組に関するコンテンツを配信するコンテンツ配信サーバであって、
録画予約履歴、リモコン操作履歴、ＷＥＢページアクセス履歴およびＷＥＢページ書込み内容を記憶するための履歴記憶部と、
携帯端末から録画予約履歴およびリモコン操作履歴を受信し、受信した録画予約履歴およびリモコン操作履歴を前記履歴記憶部に記憶する履歴受信部と、
前記携帯端末のＷＥＢページアクセス履歴を取得し、取得したＷＥＢページアクセス履歴を前記履歴記憶部に記憶するページアクセス履歴取得部と、
情報の書込みが可能な所定のＷＥＢページに対し前記携帯端末から書き込まれた書込み内容を取得し、取得した書込み内容を前記履歴記憶部に記憶する書込み内容取得部と、
番組ごとの関連ＷＥＢページ情報および関連キーワードを記憶した関連情報記憶部と、
前記関連情報記憶部から、前記対象テレビ番組に関する関連ＷＥＢページ情報および関連キーワードを取得する関連情報取得部と、
前記対象テレビ番組に関する録画予約履歴およびリモコン操作履歴が前記履歴記憶部に記憶されているか否かを判定し、前記対象テレビ番組に関する関連ＷＥＢページへのＷＥＢページアクセス履歴が前記履歴記憶部に記憶されているか否かを判定し、前記対象テレビ番組に関する関連キーワードが、前記履歴記憶部に記憶された書込み内容に有るか否かを判定し、これらの判定結果に応じて、前記対象テレビ番組が視聴されたことに関する視聴信頼度を算出する視聴信頼度算出部と、
算出された視聴信頼度と所定の基準値とを比較することで、前記対象テレビ番組が視聴されたか否かを判定する視聴有無判定部と、
前記対象テレビ番組が視聴されたと判定された場合に、前記対象テレビ番組に関する録画予約履歴およびリモコン操作履歴が前記履歴記憶部に記憶されているか否かの判定結果、および、前記対象テレビ番組に関する関連キーワードが前記書込み内容に有るか否かの判定結果に応じて、前記対象テレビ番組がリアルタイムに視聴されたことに関するリアルタイム視聴信頼度を算出するリアルタイム視聴信頼度算出部と、
算出されたリアルタイム視聴信頼度と所定の基準値とを比較することで、前記対象テレビ番組がリアルタイムに視聴されたか否かを判定するリアルタイム視聴判定部と、
前記対象テレビ番組がリアルタイムに視聴されたと判定された場合に、番組ごとのコンテンツを記憶した外部のサーバから、前記対象テレビ番組に関するリアルタイムコンテンツを取得し、取得したリアルタイムコンテンツを前記携帯端末へ配信し、前記対象テレビ番組がリアルタイムに視聴されたと判定されなかった場合に、前記外部のサーバから、前記対象テレビ番組に関する非リアルタイムコンテンツを取得し、取得した非リアルタイムコンテンツを所定タイミングで前記携帯端末へ配信するコンテンツ配信部と、
を備えたコンテンツ配信サーバ。
【請求項２】
前記視聴信頼度算出部は、前記リモコン操作履歴により前記対象テレビ番組の延べ視聴時間が所定の基準時間以上となる場合に、当該対象テレビ番組に関するリモコン操作履歴が記憶されていると判定する、
ことを特徴とする請求項１に記載のコンテンツ配信サーバ。
【請求項３】
前記コンテンツ配信部は、非リアルタイムコンテンツの配信については、
前記携帯端末から配信要求を受信したとき、前記コンテンツ配信サーバにおける所定時間おきのチェックタイミングが到来したとき、又は、前記携帯端末から所定時間おきのポーリングを受信したときに、前回の配信以降の分の非リアルタイムコンテンツを配信する、
ことを特徴とする請求項１又は２に記載のコンテンツ配信サーバ。
【請求項４】
請求項１に記載のコンテンツ配信サーバと、
番組ごとのコンテンツを記憶したコンテンツ管理サーバと、
録画予約履歴およびリモコン操作履歴を記憶する履歴記憶部と、前記録画予約履歴および前記リモコン操作履歴を前記コンテンツ配信サーバへ送信する履歴送信部と、前記コンテンツ配信サーバからコンテンツを受信するコンテンツ受信部と、受信したコンテンツを出力するコンテンツ出力部とを備えた携帯端末と、
を含んで構成された通信システム。
【請求項５】
対象テレビ番組に関するコンテンツを配信するコンテンツ配信サーバであり、録画予約履歴、リモコン操作履歴、ＷＥＢページアクセス履歴およびＷＥＢページ書込み内容を記憶するための履歴記憶部と、番組ごとの関連ＷＥＢページ情報および関連キーワードを記憶した関連情報記憶部とを備えた当該コンテンツ配信サーバ、により実行されるコンテンツ配信方法であって、
携帯端末から録画予約履歴およびリモコン操作履歴を受信し、受信した録画予約履歴およびリモコン操作履歴を前記履歴記憶部に記憶するステップと、
前記携帯端末のＷＥＢページアクセス履歴を取得し、取得したＷＥＢページアクセス履歴を前記履歴記憶部に記憶するステップと、
情報の書込みが可能な所定のＷＥＢページに対し前記携帯端末から書き込まれた書込み内容を取得し、取得した書込み内容を前記履歴記憶部に記憶するステップと、
前記関連情報記憶部から、前記対象テレビ番組に関する関連ＷＥＢページ情報および関連キーワードを取得するステップと、
前記対象テレビ番組に関する録画予約履歴およびリモコン操作履歴が前記履歴記憶部に記憶されているか否かを判定し、前記対象テレビ番組に関する関連ＷＥＢページへのＷＥＢページアクセス履歴が前記履歴記憶部に記憶されているか否かを判定し、前記対象テレビ番組に関する関連キーワードが、前記履歴記憶部に記憶された書込み内容に有るか否かを判定し、これらの判定結果に応じて、前記対象テレビ番組が視聴されたことに関する視聴信頼度を算出するステップと、
算出された視聴信頼度と所定の基準値とを比較することで、前記対象テレビ番組が視聴されたか否かを判定するステップと、
前記対象テレビ番組が視聴されたと判定された場合に、前記対象テレビ番組に関する録画予約履歴およびリモコン操作履歴が前記履歴記憶部に記憶されているか否かの判定結果、および、前記対象テレビ番組に関する関連キーワードが前記書込み内容に有るか否かの判定結果に応じて、前記対象テレビ番組がリアルタイムに視聴されたことに関するリアルタイム視聴信頼度を算出するステップと、
算出されたリアルタイム視聴信頼度と所定の基準値とを比較することで、前記対象テレビ番組がリアルタイムに視聴されたか否かを判定するステップと、
前記対象テレビ番組がリアルタイムに視聴されたと判定された場合に、番組ごとのコンテンツを記憶した外部のサーバから、前記対象テレビ番組に関するリアルタイムコンテンツを取得し、取得したリアルタイムコンテンツを前記携帯端末へ配信し、前記対象テレビ番組がリアルタイムに視聴されたと判定されなかった場合に、前記外部のサーバから、前記対象テレビ番組に関する非リアルタイムコンテンツを取得し、取得した非リアルタイムコンテンツを所定タイミングで前記携帯端末へ配信するステップと、
を備えたコンテンツ配信方法。
【請求項６】
前記対象テレビ番組に関するリモコン操作履歴が記憶されているか否かの判定では、前記リモコン操作履歴により前記対象テレビ番組の延べ視聴時間が所定の基準時間以上となる場合に、当該対象テレビ番組に関するリモコン操作履歴が記憶されていると判定される、
ことを特徴とする請求項５に記載のコンテンツ配信方法。
【請求項７】
前記非リアルタイムコンテンツの配信については、
前記携帯端末から配信要求を受信したとき、前記コンテンツ配信サーバにおける所定時間おきのチェックタイミングが到来したとき、又は、前記携帯端末から所定時間おきのポーリングを受信したときに、前回の配信以降の分の非リアルタイムコンテンツが配信される、
ことを特徴とする請求項５又は６に記載のコンテンツ配信方法。
【発明の詳細な説明】
【技術分野】
【０００１】
本発明は、対象テレビ番組に関するコンテンツを配信するコンテンツ配信サーバ、コンテンツ配信方法、および、当該コンテンツ配信サーバを含んで構成される通信システムに関する。
【背景技術】
【０００２】
従来より、テレビの視聴実態に応じてコンテンツ配信を行う技術が提案されている（特許文献１参照）。ただし、その場合、適切なコンテンツ配信を行うためには、視聴実態を精度良く把握することが必須となる。
【０００３】
視聴実態を精度良く把握するための１つの手法として、テレビの視聴ログ収集機能を備えた専用のセットトップボックスを多数のユーザ宅に設置して、テレビ視聴履歴を収集する手法がある。
【特許文献１】特開２００４−６２２３７号公報
【発明の開示】
【発明が解決しようとする課題】
【０００４】
しかしながら、上記の手法では、専用のセットトップボックスを多数のユーザ宅に設置することは、多大な労力と多大なコストを要し、コスト面と運用面の両方で困難性が高いといえる。
【０００５】
一方、近年は、赤外線通信機能を備えた携帯端末が普及してきているため、この赤外線通信機能を利用して携帯端末をテレビ受像機および録画装置のリモコン代わりに使用するシーンが想定される。
【０００６】
そうしたことから、携帯端末を用いた簡易なテレビ視聴履歴収集を実現して、精度良くテレビの視聴実態を把握した上で、テレビの視聴実態に応じた適切な情報配信を行うことが待望されている。
【０００７】
本発明は、上記を踏まえ、テレビの視聴実態を簡易な手法で精度良く把握し、テレビの視聴実態に応じた適切な情報配信を行うことを目的とする。
【課題を解決するための手段】
【０００８】
上記目的を達成するために、本発明に係るコンテンツ配信サーバは、対象テレビ番組に関するコンテンツを配信するコンテンツ配信サーバであって、録画予約履歴、リモコン操作履歴、ＷＥＢページアクセス履歴およびＷＥＢページ書込み内容を記憶するための履歴記憶部と、携帯端末から録画予約履歴およびリモコン操作履歴を受信し、受信した録画予約履歴およびリモコン操作履歴を前記履歴記憶部に記憶する履歴受信部と、前記携帯端末のＷＥＢページアクセス履歴を取得し、取得したＷＥＢページアクセス履歴を前記履歴記憶部に記憶するページアクセス履歴取得部と、情報の書込みが可能な所定のＷＥＢページに対し前記携帯端末から書き込まれた書込み内容を取得し、取得した書込み内容を前記履歴記憶部に記憶する書込み内容取得部と、番組ごとの関連ＷＥＢページ情報および関連キーワードを記憶した関連情報記憶部と、前記関連情報記憶部から、前記対象テレビ番組に関する関連ＷＥＢページ情報および関連キーワードを取得する関連情報取得部と、前記対象テレビ番組に関する録画予約履歴およびリモコン操作履歴が前記履歴記憶部に記憶されているか否かを判定し、前記対象テレビ番組に関する関連ＷＥＢページへのＷＥＢページアクセス履歴が前記履歴記憶部に記憶されているか否かを判定し、前記対象テレビ番組に関する関連キーワードが、前記履歴記憶部に記憶された書込み内容に有るか否かを判定し、これらの判定結果に応じて、前記対象テレビ番組が視聴されたことに関する視聴信頼度を算出する視聴信頼度算出部と、算出された視聴信頼度と所定の基準値とを比較することで、前記対象テレビ番組が視聴されたか否かを判定する視聴有無判定部と、前記対象テレビ番組が視聴されたと判定された場合に、前記対象テレビ番組に関する録画予約履歴およびリモコン操作履歴が前記履歴記憶部に記憶されているか否かの判定結果、および、前記対象テレビ番組に関する関連キーワードが前記書込み内容に有るか否かの判定結果に応じて、前記対象テレビ番組がリアルタイムに視聴されたことに関するリアルタイム視聴信頼度を算出するリアルタイム視聴信頼度算出部と、算出されたリアルタイム視聴信頼度と所定の基準値とを比較することで、前記対象テレビ番組がリアルタイムに視聴されたか否かを判定するリアルタイム視聴判定部と、前記対象テレビ番組がリアルタイムに視聴されたと判定された場合に、番組ごとのコンテンツを記憶した外部のサーバから、前記対象テレビ番組に関するリアルタイムコンテンツを取得し、取得したリアルタイムコンテンツを前記携帯端末へ配信し、前記対象テレビ番組がリアルタイムに視聴されたと判定されなかった場合に、前記外部のサーバから、前記対象テレビ番組に関する非リアルタイムコンテンツを取得し、取得した非リアルタイムコンテンツを所定タイミングで前記携帯端末へ配信するコンテンツ配信部と、を備えたことを特徴とする。
【０００９】
上記のコンテンツ配信サーバは、携帯端末にて簡易に得られた録画予約履歴およびリモコン操作履歴、並びにＷＥＢページアクセス履歴およびＷＥＢページ書込み内容に基づいて算出された視聴信頼度と、所定の基準値とを比較することで、対象テレビ番組が視聴されたか否かを判定し、対象テレビ番組が視聴されたと判定された場合に、録画予約履歴、リモコン操作履歴およびＷＥＢページ書込み内容に基づいて算出されたリアルタイム視聴信頼度と、所定の基準値とを比較することで、対象テレビ番組がリアルタイムに視聴されたか否かを判定する。そして、当該判定結果に応じて、対象テレビ番組に関するリアルタイムコンテンツ又は非リアルタイムコンテンツを携帯端末へ配信するため、携帯端末を用いた簡易なテレビ視聴履歴収集を実現し、精度良くテレビの視聴実態を把握した上で、テレビの視聴実態に応じた適切な情報配信を行うことができる。
【００１０】
なお、上記コンテンツ配信サーバの視聴信頼度算出部は、リモコン操作履歴により対象テレビ番組の延べ視聴時間が所定の基準時間以上となる場合に、当該対象テレビ番組に関するリモコン操作履歴が記憶されていると判定することが望ましい。この場合、視聴者が対象テレビ番組をごく短い時間しか視聴していない場合に、当該対象テレビ番組が視聴されたと誤って判定されることを防止でき、より精度良くテレビの視聴実態を把握することができる。
【００１１】
また、上記コンテンツ配信サーバのコンテンツ配信部は、非リアルタイムコンテンツの配信については、(1)携帯端末から配信要求を受信したとき、(2)コンテンツ配信サーバにおける所定時間おきのチェックタイミングが到来したとき、又は、(3)携帯端末から所定時間おきのポーリングを受信したときに、前回の配信以降の分の非リアルタイムコンテンツを配信することが望ましく、さまざまな実施態様に適用可能となる。
【００１２】
ところで、上述したコンテンツ配信サーバに係る発明は、以下のように、当該コンテンツ配信サーバを含んだ通信システムに係る発明、および、コンテンツ配信方法に係る発明として記述することもでき、同様の効果を奏する。
【００１３】
本発明に係る通信システムは、(1)前述した構成のコンテンツ配信サーバと、(2)番組ごとのコンテンツを記憶したコンテンツ管理サーバと、(3)録画予約履歴およびリモコン操作履歴を記憶する履歴記憶部と、録画予約履歴およびリモコン操作履歴をコンテンツ配信サーバへ送信する履歴送信部と、前記コンテンツ配信サーバからコンテンツを受信するコンテンツ受信部と、受信したコンテンツを出力するコンテンツ出力部とを備えた携帯端末と、を含んで構成されたことを特徴とする。
【００１４】
本発明に係るコンテンツ配信方法は、対象テレビ番組に関するコンテンツを配信するコンテンツ配信サーバであり、録画予約履歴、リモコン操作履歴、ＷＥＢページアクセス履歴およびＷＥＢページ書込み内容を記憶するための履歴記憶部と、番組ごとの関連ＷＥＢページ情報および関連キーワードを記憶した関連情報記憶部とを備えた当該コンテンツ配信サーバ、により実行されるコンテンツ配信方法であって、携帯端末から録画予約履歴およびリモコン操作履歴を受信し、受信した録画予約履歴およびリモコン操作履歴を前記履歴記憶部に記憶するステップと、前記携帯端末のＷＥＢページアクセス履歴を取得し、取得したＷＥＢページアクセス履歴を前記履歴記憶部に記憶するステップと、情報の書込みが可能な所定のＷＥＢページに対し前記携帯端末から書き込まれた書込み内容を取得し、取得した書込み内容を前記履歴記憶部に記憶するステップと、前記関連情報記憶部から、前記対象テレビ番組に関する関連ＷＥＢページ情報および関連キーワードを取得するステップと、前記対象テレビ番組に関する録画予約履歴およびリモコン操作履歴が前記履歴記憶部に記憶されているか否かを判定し、前記対象テレビ番組に関する関連ＷＥＢページへのＷＥＢページアクセス履歴が前記履歴記憶部に記憶されているか否かを判定し、前記対象テレビ番組に関する関連キーワードが、前記履歴記憶部に記憶された書込み内容に有るか否かを判定し、これらの判定結果に応じて、前記対象テレビ番組が視聴されたことに関する視聴信頼度を算出するステップと、算出された視聴信頼度と所定の基準値とを比較することで、前記対象テレビ番組が視聴されたか否かを判定するステップと、前記対象テレビ番組が視聴されたと判定された場合に、前記対象テレビ番組に関する録画予約履歴およびリモコン操作履歴が前記履歴記憶部に記憶されているか否かの判定結果、および、前記対象テレビ番組に関する関連キーワードが前記書込み内容に有るか否かの判定結果に応じて、前記対象テレビ番組がリアルタイムに視聴されたことに関するリアルタイム視聴信頼度を算出するステップと、算出されたリアルタイム視聴信頼度と所定の基準値とを比較することで、前記対象テレビ番組がリアルタイムに視聴されたか否かを判定するステップと、前記対象テレビ番組がリアルタイムに視聴されたと判定された場合に、番組ごとのコンテンツを記憶した外部のサーバから、前記対象テレビ番組に関するリアルタイムコンテンツを取得し、取得したリアルタイムコンテンツを前記携帯端末へ配信し、前記対象テレビ番組がリアルタイムに視聴されたと判定されなかった場合に、前記外部のサーバから、前記対象テレビ番組に関する非リアルタイムコンテンツを取得し、取得した非リアルタイムコンテンツを所定タイミングで前記携帯端末へ配信するステップと、を備えたことを特徴とする。
【００１５】
なお、対象テレビ番組に関するリモコン操作履歴が記憶されているか否かの判定では、リモコン操作履歴により前記対象テレビ番組の延べ視聴時間が所定の基準時間以上となる場合に、当該対象テレビ番組に関するリモコン操作履歴が記憶されていると判定されることが望ましい。
【００１６】
また、非リアルタイムコンテンツの配信については、(1)携帯端末から配信要求を受信したとき、(2)コンテンツ配信サーバにおける所定時間おきのチェックタイミングが到来したとき、又は、(3)携帯端末から所定時間おきのポーリングを受信したときに、前回の配信以降の分の非リアルタイムコンテンツが配信されることが望ましい。
【発明の効果】
【００１７】
本発明によれば、携帯端末を用いた簡易なテレビ視聴履歴収集を実現し、精度良くテレビの視聴実態を把握した上で、テレビの視聴実態に応じた適切な情報配信を行うことができる。
【発明を実施するための最良の形態】
【００１８】
以下、本発明にかかる実施形態について図面を参照して説明する。
【００１９】
［通信システムおよび各装置の構成］
まず、本実施形態にかかる通信システムの構成について説明する。図１に示すように、本実施形態にかかる通信システム１は、赤外線通信機能を備えた携帯端末４０と、移動通信網３０およびインターネット網６０に接続され、移動通信網３０経由で携帯端末４０に対しコンテンツを配信するコンテンツ配信サーバ１０と、配信されるコンテンツを記憶・管理しているコンテンツ管理サーバ２０とを含んで構成される。携帯端末４０は、赤外線通信機能を利用してテレビ受像機５０および録画装置５１のリモコン代わりに使用される。
【００２０】
図２に示すように、コンテンツ配信サーバ１０は、録画予約履歴、リモコン操作履歴、ＷＥＢページアクセス履歴およびＷＥＢページ書込み内容を記憶するための履歴記憶部１１２と、携帯端末４０から録画予約履歴およびリモコン操作履歴を受信し、受信した録画予約履歴およびリモコン操作履歴を履歴記憶部１１２に記憶する履歴受信部１０１と、携帯端末４０のＷＥＢページアクセス履歴を取得し、取得したＷＥＢページアクセス履歴を履歴記憶部１１２に記憶するページアクセス履歴取得部１０２と、情報の書込みが可能な所定のＷＥＢページに対し携帯端末４０から書き込まれた書込み内容を取得し、取得した書込み内容を履歴記憶部１１２に記憶する書込み内容取得部１０３と、番組ごとの関連ＷＥＢページ情報および関連キーワードを記憶した関連情報記憶部１０４と、関連情報記憶部１０４から対象テレビ番組に関する関連ＷＥＢページ情報および関連キーワードを取得する関連情報取得部１０５と、後述する手順により、対象テレビ番組が視聴されたことに関する視聴信頼度を算出する視聴信頼度算出部１０６と、算出された視聴信頼度と所定の基準値とを比較することで対象テレビ番組が視聴されたか否かを判定する視聴有無判定部１０７と、対象テレビ番組が視聴されたと判定された場合に、後述する手順により、対象テレビ番組がリアルタイムに視聴されたことに関するリアルタイム視聴信頼度を算出するリアルタイム視聴信頼度算出部１０８と、算出されたリアルタイム視聴信頼度と所定の基準値とを比較することで対象テレビ番組がリアルタイムに視聴されたか否かを判定するリアルタイム視聴判定部１０９と、対象テレビ番組がリアルタイムに視聴されたか否かの判定結果に応じて、リアルタイムに配信すべきコンテンツ（以下「リアルタイムコンテンツ」という）又は非リアルタイムに配信すべきコンテンツ（以下「非リアルタイムコンテンツ」という）を携帯端末４０へ配信するコンテンツ配信部１１０と、携帯端末４０からのレコメンド要求を受信するレコメンド要求受信部１１１と、を備える。
【００２１】
上記のうち、履歴記憶部１１２は、録画予約履歴を記憶するための録画予約履歴管理テーブル１１２Ａと、リモコン操作履歴を記憶するためのリモコン操作履歴管理テーブル１１２Ｂと、ＷＥＢページアクセス履歴を記憶するためのページアクセス履歴管理テーブル１１２Ｃと、ＷＥＢページ書込み内容を記憶するための書込み内容管理テーブル１１２Ｄとを含んだ構成とされている。また、コンテンツ配信部１１０は、各番組に対し予め対応付けられたリアルタイムコンテンツおよび非リアルタイムコンテンツを記憶したコンテンツ管理テーブル１１０Ａを含んだ構成とされている。各テーブル内のデータ例については、後述する。
【００２２】
なお、図１に示すように、コンテンツ配信サーバ１０は、携帯端末４０からインターネット網６０へアクセスする際の通信経路上に存在するため、携帯端末４０からのＷＥＢページアクセス履歴を取得可能とされ、また、情報の書込みが可能な所定のＷＥＢページに対し携帯端末４０から書き込まれた書込み内容を取得可能とされている。
【００２３】
一方、携帯端末４０は、録画予約履歴およびリモコン操作履歴を一時的に記憶する履歴記憶部４１と、録画予約履歴およびリモコン操作履歴をコンテンツ配信サーバ１０へ送信する履歴送信部４２と、コンテンツ配信サーバ１０からコンテンツを受信するコンテンツ受信部４３と、受信したコンテンツを出力するコンテンツ出力部４４と、コンテンツ配信サーバ１０へレコメンド要求を送信するレコメンド要求送信部４５と、赤外線通信を実行する赤外線通信部４６と、を備えている。
【００２４】
ところで、コンテンツ配信サーバ１０は、ハードウェアの観点からみると、例えば図４に示すように、オペレーティングシステムやアプリケーションプログラムなどを実行するＣＰＵ１０Ａと、ＲＯＭ及びＲＡＭで構成される主記憶部１０Ｂと、不揮発性メモリなどで構成される補助記憶部１０Ｃと、データ通信を行う通信制御部１０Ｄと、情報の表示や情報の印刷出力などを行う出力部１０Ｅと、文字・数字入力及び実行指示を行うためのキーで構成される操作部１０Ｆとを含んで構成される。なお、図２にて説明した各機能は、図４に示すＣＰＵ１０Ａ及び主記憶部１０Ｂ上に所定のソフトウェアを読み込ませて所定のアプリケーションを実行するとともに、ＣＰＵ１０Ａの制御の下で通信制御部１０Ｄを動作させ、主記憶部１０Ｂや補助記憶部１０Ｃにおけるデータの読み出し及び書き込みを行うことで実現される。また、ハードウェア構成としては、携帯端末４０およびコンテンツ管理サーバ２０も、基本的に同様の構成を有している。
【００２５】
［各テーブル内のデータ例］
図８に示すように、録画予約履歴管理テーブル１１２Ａには、携帯端末４０のユーザごとに定められたユーザＩＤごとに、録画予約されたチャネルとその録画予約の時間帯とが記憶される。図９に示すように、リモコン操作履歴管理テーブル１１２Ｂには、ユーザＩＤごとに、リモコン操作にて選択されたチャネルと、選択された日時とが記憶される。なお、本実施形態では、適用される地域として、共通のテレビ番組表（テレビ番組のタイムテーブル）が適用される地域内（例えば関東地方内など）を想定している。図８、図９に示すチャネルと時刻（録画時間帯や選択日時）の組合せに対しテレビ番組が一意に対応するため、チャネルと時刻の２つを管理している。もちろん、図８、図９にさらに「地域」の情報を追加して管理することとすれば、適用可能な地域範囲を、さまざまなテレビ番組表が混在する日本全国に拡大することが可能である。地域とチャネルと時刻の３つの組合せに対し、テレビ番組が一意に対応するからである。
【００２６】
図１０に示すように、ページアクセス履歴管理テーブル１１２Ｃには、ユーザＩＤごとに、アクセスしたＷＥＢページのアドレスと、アクセスした日時とが記憶される。図１１に示すように、書込み内容管理テーブル１１２Ｄには、ユーザＩＤごとに、ＷＥＢページ書込み内容と書き込んだ日時とが記憶される。
【００２７】
図１２に示すように関連情報記憶部１０４には、番組ごとに、当該番組の基本情報（例えばジャンル、チャネル、放映日時の情報）と、関連ＷＥＢページのアドレスと、関連キーワードとが予め記憶されている。なお、関連ＷＥＢページのアドレスと関連キーワードは、それぞれ１つに限定されず、複数記憶されている。
【００２８】
図１３に示すようにコンテンツ管理テーブル１１０Ａには、各番組に対し予め対応付けられたリアルタイムコンテンツおよび非リアルタイムコンテンツが記憶されている。なお、図１３に示す「ＡＤ−Ａ−Ｒ１」は、番組Ａに関する第１のリアルタイムコンテンツ（例えばリアルタイムで配信すべき広告コンテンツ）を意味する。
【００２９】
［本実施形態の処理フロー］
以下、図５〜図７の流れ図に沿って、図１の通信システム１において実行される処理フローを説明する。なお、本実施形態では、対象となるテレビ番組として、処理時点でリアルタイムに放映されている１つ以上のテレビ番組が、予め定められているものとする。
【００３０】
まず、携帯端末４０において、履歴記憶部４１が録画予約履歴およびリモコン操作履歴を一時的に記憶し（図５のステップＴ１）、その後、履歴送信部４２が録画予約履歴およびリモコン操作履歴をコンテンツ配信サーバ１０へ送信する（ステップＴ２）。
【００３１】
一方、コンテンツ配信サーバ１０では、履歴受信部１０１が携帯端末４０から録画予約履歴およびリモコン操作履歴を受信し、受信した録画予約履歴を録画予約履歴管理テーブル１１２Ａに記憶するとともに、受信したリモコン操作履歴をリモコン操作履歴管理テーブル１１２Ｂに記憶する（ステップＳ１）。また、ページアクセス履歴取得部１０２が携帯端末４０のＷＥＢページアクセス履歴を取得し、取得したＷＥＢページアクセス履歴をページアクセス履歴管理テーブル１１２Ｃに記憶し（ステップＳ２）、書込み内容取得部１０３が、情報の書込みが可能な所定のＷＥＢページに対し携帯端末４０から書き込まれた書込み内容を取得し、取得した書込み内容を書込み内容管理テーブル１１２Ｄに記憶する（ステップＳ３）。さらに、関連情報取得部１０５が、図１２の関連情報記憶部１０４から対象テレビ番組に関する関連ＷＥＢページ情報および関連キーワードを取得する（ステップＳ４）。ここで例えば、図１２に示す番組Ａが対象テレビ番組である場合、関連ＷＥＢページ情報として「http://abc.soccer.jp」、「http://xyz.sports.com/soccer」、「http://www.soccer-fan.jp」などが取得され、関連キーワードとして「サッカー」、「ＦＩＦＡ」、「Ｊリーグ」などが取得される。
【００３２】
そして、視聴信頼度算出部１０６が、以下に述べる図６の手順により、対象テレビ番組が視聴されたことに関する視聴信頼度を算出する（ステップＳ５）。即ち、視聴信頼度算出部１０６は、視聴信頼度ｐを予め定められた初期値に設定した後（図６のステップＳ５１）、対象テレビ番組の録画予約履歴が録画予約履歴管理テーブル１１２Ａに記憶されているか否かを判定し（ステップＳ５２）、対象テレビ番組の録画予約履歴が記憶されていると判定された場合に、視聴信頼度ｐの値を、予め重み付けして定められた値ｑ１だけ増加させる（ステップＳ５３）。以後、視聴信頼度算出部１０６は、対象テレビ番組のリモコン操作履歴がリモコン操作履歴管理テーブル１１２Ｂに記憶されているか否かを判定し（ステップＳ５４）、対象テレビ番組のリモコン操作履歴が記憶されていると判定された場合に、視聴信頼度ｐの値を、予め重み付けして定められた値ｒ１だけ増加させる（ステップＳ５５）。
【００３３】
ところで、リモコン操作の頻度は、一般的に、前述した録画予約の頻度よりも高く、短時間のうちに複数回リモコン操作が行われることがある。そこで、本実施形態では、視聴信頼度算出部１０６は、リモコン操作により対象テレビ番組の延べ視聴時間が所定の基準時間以上となる場合に、当該対象テレビ番組に関するリモコン操作履歴が記憶されていると判定する。基準時間としては、例えば、６０分番組では「２０分」、１２０分番組では「４０分」とする。ここで、対象テレビ番組が１２０分番組の番組Ａ（図１２）であるとすると、基準時間は４０分となる。図９の例では、ユーザＩＤ「001」においては、対象テレビ番組の番組Ａ（地上デジタル６チャネル）のチャネルが選択された延べ時間は、計１１０分（16:00  30秒〜16:50  30秒の50分間と、17:52  30秒〜16:52  30秒の60分間）となり、基準時間（４０分）以上となるため、当該対象テレビ番組に関するリモコン操作履歴は記憶されていると判定される。このように、リモコン操作により対象テレビ番組の延べ視聴時間が所定の基準時間以上となる場合に、当該対象テレビ番組に関するリモコン操作履歴が記憶されていると判定することで、視聴者が対象テレビ番組をごく短い時間しか視聴していない場合に、当該対象テレビ番組が視聴されたと誤って判定されることを防止でき、より精度良くテレビの視聴実態を把握することができる。
【００３４】
次に、対象テレビ番組に関する関連ＷＥＢページへのＷＥＢページアクセス履歴がページアクセス履歴管理テーブル１１２Ｃに記憶されているか否かを判定し（ステップＳ５６）、ＷＥＢページアクセス履歴が記憶されていると判定された場合に、視聴信頼度ｐの値を、予め重み付けして定められた値ｓ１だけ増加させる（ステップＳ５７）。さらに、対象テレビ番組に関する関連キーワードが書込み内容管理テーブル１１２Ｄに記憶されているか否かを判定し（ステップＳ５８）、関連キーワードが記憶されていると判定された場合に、視聴信頼度ｐの値を、予め重み付けして定められた値ｔ１だけ増加させる（ステップＳ５９）。以上のようにして、ステップＳ５２、Ｓ５４、Ｓ５６、Ｓ５８の判定結果に応じて調整された視聴信頼度ｐが算出される。
【００３５】
図５へ戻り、次のステップＳ６では、視聴有無判定部１０７が、算出された視聴信頼度ｐが予め定められた基準値以上か否かを判定することで、対象テレビ番組が視聴されたか否かを判定する。ここで、視聴信頼度ｐが基準値に満たない場合は、対象テレビ番組は視聴されていないと判定され、図５の処理を終了する。
【００３６】
一方、視聴信頼度ｐが基準値以上の場合は、対象テレビ番組は視聴されていると判定され、リアルタイム視聴信頼度算出部１０８が、以下に述べる図７の手順により、対象テレビ番組がリアルタイムに視聴されたことに関するリアルタイム視聴信頼度を算出する（ステップＳ７）。即ち、リアルタイム視聴信頼度算出部１０８は、リアルタイム視聴信頼度ｘを予め定められた初期値に設定した後（図７のステップＳ７１）、対象テレビ番組の録画予約履歴が録画予約履歴管理テーブル１１２Ａに記憶されているか否かを判定し（ステップＳ７２）、対象テレビ番組の録画予約履歴が記憶されていると判定された場合、対象テレビ番組はリアルタイムに視聴されていないと判断できるため、リアルタイム視聴信頼度ｘの値を、予め重み付けして定められた値ｑ２だけ減少させる（ステップＳ７３）。以後、リアルタイム視聴信頼度算出部１０８は、対象テレビ番組のリモコン操作履歴がリモコン操作履歴管理テーブル１１２Ｂに記憶されているか否かを判定し（ステップＳ７４）、対象テレビ番組のリモコン操作履歴が記憶されていると判定された場合、対象テレビ番組はリアルタイムに視聴されていると判断できるため、リアルタイム視聴信頼度ｘの値を、予め重み付けして定められた値ｒ２だけ増加させる（ステップＳ７５）。なお、ステップＳ７４では、前述した図６のステップＳ５４と同様に、リモコン操作により対象テレビ番組の延べ視聴時間が所定の基準時間以上となる場合に、当該対象テレビ番組に関するリモコン操作履歴が記憶されていると判定する。
【００３７】
さらに、対象テレビ番組に関する関連キーワードが書込み内容管理テーブル１１２Ｄに記憶されているか否かを判定し（ステップＳ７６）、関連キーワードが記憶されていると判定された場合、対象テレビ番組はリアルタイムに視聴されていると判断できるため、視聴信頼度ｐの値を、予め重み付けして定められた値ｔ２だけ増加させる（ステップＳ７７）。以上のようにして、ステップＳ７２、Ｓ７４、Ｓ７６の判定結果に応じて調整されたリアルタイム視聴信頼度ｘが算出される。
【００３８】
図５へ戻り、次のステップＳ８では、リアルタイム視聴判定部１０９は、算出されたリアルタイム視聴信頼度ｘが予め定められた基準値以上か否かを判定することで、対象テレビ番組がリアルタイムに視聴されたか否かを判定する（ステップＳ８）。ここで、リアルタイム視聴信頼度ｘが基準値以上の場合は、対象テレビ番組がリアルタイムに視聴されたと判定され、コンテンツ配信部１１０は、図１３のコンテンツ管理テーブル１１０Ａを検索することで対象テレビ番組に関するリアルタイムコンテンツを特定する。例えば、番組Ａに関するリアルタイムコンテンツ「ＡＤ−Ａ−Ｒ１」と「ＡＤ−Ａ−Ｒ２」を特定する。そして、該リアルタイムコンテンツをコンテンツ管理サーバ２０から取得し、取得したリアルタイムコンテンツを携帯端末４０へ配信する（ステップＳ９）。
【００３９】
一方、ステップＳ８でリアルタイム視聴信頼度ｘが基準値に満たない場合は、対象テレビ番組はリアルタイムには視聴されていないと判定され、コンテンツ配信部１１０は、図１３のコンテンツ管理テーブル１１０Ａを検索することで対象テレビ番組に関する非リアルタイムコンテンツを特定し、特定した非リアルタイムコンテンツをコンテンツ管理サーバ２０から取得しておく。例えば、番組Ａに関する非リアルタイムコンテンツ「ＡＤ−Ａ−Ｎ１」と「ＡＤ−Ａ−Ｎ２」を特定し、これら非リアルタイムコンテンツをコンテンツ管理サーバ２０から取得しておく。そして、所定タイミングが到来したときに、前回の配信以降の分の非リアルタイムコンテンツを携帯端末４０へ配信する（ステップＳ１０、Ｓ１１）。なお、所定タイミングとしては、例えば、（１）図５のステップＴ３で携帯端末４０から送信されたレコメンド要求を受信したとき、（２）コンテンツ配信サーバ１０における所定時間おきのチェックタイミングが到来したとき、又は、（３）携帯端末４０から所定時間おきのポーリングを受信したとき、などが挙げられる。
【００４０】
一方の携帯端末４０では、コンテンツ受信部４３が、上記ステップＳ９およびＳ１１でコンテンツ配信部１１０から配信されたコンテンツを受信し（ステップＴ４）、コンテンツ出力部４４が、受信されたコンテンツを出力（表示出力、音声出力など）する（ステップＴ５）。
【００４１】
以上説明した本実施形態によれば、コンテンツ配信サーバは、携帯端末にて簡易に得られた録画予約履歴およびリモコン操作履歴、並びにＷＥＢページアクセス履歴およびＷＥＢページ書込み内容に基づいて算出された視聴信頼度ｐと、所定の基準値とを比較することで、対象テレビ番組が視聴されたか否かを判定し、対象テレビ番組が視聴されたと判定された場合に、録画予約履歴、リモコン操作履歴およびＷＥＢページ書込み内容に基づいて算出されたリアルタイム視聴信頼度ｘと、所定の基準値とを比較することで、対象テレビ番組がリアルタイムに視聴されたか否かを判定する。そして、対象テレビ番組がリアルタイムに視聴されたと判定された場合に対象テレビ番組に関するリアルタイムコンテンツを配信し、対象テレビ番組がリアルタイムに視聴されていないと判定された場合に対象テレビ番組に関する非リアルタイムコンテンツを配信する。そのため、携帯端末を用いた簡易なテレビ視聴履歴収集を実現し、精度良くテレビの視聴実態を把握した上で、テレビの視聴実態に応じた適切な情報配信を行うことができる。
【００４２】
なお、図７のステップＳ７２、Ｓ７４、Ｓ７６は、それぞれ図６のステップＳ５２、Ｓ５４、Ｓ５８の判定処理と実質的に同様の処理であるため、ステップＳ５２、Ｓ５４、Ｓ５８の判定結果を一時的に記憶しておき、図７のステップＳ７２、Ｓ７４、Ｓ７６の判定処理で使用してもよい。
【図面の簡単な説明】
【００４３】
【図１】発明の実施形態に係る通信システムの構成図である。
【図２】コンテンツ配信サーバの構成図である。
【図３】携帯端末の構成図である。
【図４】コンテンツ配信サーバのハードウェア構成図である。
【図５】発明の実施形態に係る処理を示す流れ図である。
【図６】視聴信頼度算出処理のサブルーチンを示す流れ図である。
【図７】リアルタイム視聴信頼度算出処理のサブルーチンを示す流れ図である。
【図８】録画予約履歴管理テーブルのデータ例を示す図である。
【図９】リモコン操作履歴管理テーブルのデータ例を示す図である。
【図１０】ページアクセス履歴管理テーブルのデータ例を示す図である。
【図１１】書込み内容管理テーブルのデータ例を示す図である。
【図１２】関連情報記憶部に記憶されたデータ例を示す図である。
【図１３】コンテンツ管理テーブルのデータ例を示す図である。
【符号の説明】
【００４４】
１…通信システム、１０…コンテンツ配信サーバ、１０Ａ…ＣＰＵ、１０Ｂ…主記憶部、１０Ｃ…補助記憶部、１０Ｄ…通信制御部、１０Ｅ…出力部、１０Ｆ…操作部、２０…コンテンツ管理サーバ、３０…移動通信網、４０…携帯端末、４１…履歴記憶部、４２…履歴送信部、４３…コンテンツ受信部、４４…コンテンツ出力部、４５…レコメンド要求送信部、４６…赤外線通信部、５０…テレビ受像機、５１…録画装置、６０…インターネット網、１０１…履歴受信部、１０２…ページアクセス履歴取得部、１０３…書込み内容取得部、１０４…関連情報記憶部、１０５…関連情報取得部、１０６…視聴信頼度算出部、１０７…視聴有無判定部、１０８…リアルタイム視聴信頼度算出部、１０９…リアルタイム視聴判定部、１１０…コンテンツ配信部、１１０Ａ…コンテンツ管理テーブル、１１１…レコメンド要求受信部、１１２…履歴記憶部、１１２Ａ…録画予約履歴管理テーブル、１１２Ｂ…リモコン操作履歴管理テーブル、１１２Ｃ…ページアクセス履歴管理テーブル、１１２Ｄ…書込み内容管理テーブル。
【図１】
0005139869.tif 000002
【図２】
0005139869.tif 000003
【図３】
0005139869.tif 000004
【図４】
0005139869.tif 000005
【図５】
0005139869.tif 000006
【図６】
0005139869.tif 000007
【図７】
0005139869.tif 000008
【図８】
0005139869.tif 000009
【図９】
0005139869.tif 000010
【図１０】
0005139869.tif 000011
【図１１】
0005139869.tif 000012
【図１２】
0005139869.tif 000013
【図１３】
0005139869.tif 000014